【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
（ａ）少なくとも１種類の水溶性無機酸受容体の少なくとも１種類の水溶液と、
（ｂ）少なくとも１種類のプレポリマーと少なくとも１種類の極性、非塩基性および不活性有機液体媒体とを含んでなり、前記少なくとも１種類のプレポリマーが実質的に等モル量の少なくとも１種類のジアミンと少なくとも１種類のジカルボン酸ジハロゲン化物を少なくとも１種類の極性、非塩基性および不活性有機液体媒体中で反応させることにより形成された少なくとも１種類のプレポリマー溶液との溶液を、
約２秒〜約２分の滞留時間を有し、ペクレ数が約３．５を超える反応器システムに供給することを含んでなるポリアミドの製造方法。
【請求項２】
（ａ）少なくとも１種類の水溶性無機酸受容体の少なくとも１種類の水溶液と、
（ｂ）少なくとも１種類のプレポリマーと少なくとも１種類の極性、非塩基性および不活性有機液体媒体とを含んでなり、前記少なくとも１種類のプレポリマーが実質的に等モル量の少なくとも１種類のジアミンと少なくとも１種類のジカルボン酸ジハロゲン化物を少なくとも１種類の極性、非塩基性および不活性有機液体媒体中で反応させることにより形成された少なくとも１種類のプレポリマー溶液との溶液を、
ペクレ数が約３．５を超える反応器システムに供給することを含んでなり、前記反応器システムにおいて約２秒〜約２分の滞留時間で前記少なくとも１種類のプレポリマーの総量の約９５％以上の変換がなされるポリアミドの製造方法。
【請求項３】
請求項１に記載の方法により製造された少なくとも１種類のポリアミドを含んでなる成形物品。
【請求項４】
請求項２に記載の方法により製造された少なくとも１種類のポリアミドを含んでなる成形物品。
【請求項５】
請求項１に記載の方法により製造された少なくとも１種類のポリアミドを含んでなるファイバー。
【請求項６】
請求項２に記載の方法により製造された少なくとも１種類のポリアミドを含んでなるファイバー。
【手続補正２】
【補正対象書類名】明細書
【補正対象項目名】０１００
【補正方法】変更
【補正の内容】
【０１００】
実施例４−ファイバー
実施例３のポリアミド３ｇの溶液を１２ｇのＮメチルピロリドンに溶解した。得られた溶液１０ｍｌを２０ｍｌのシリンジに充填し、７．５ｍｌ／分の速度でシリンジから攪拌水浴へ押出し、連続フィラメントとして巻き上げた。
本発明の好適な実施態様は次のとおりである。
１．  （ａ）少なくとも１種類の水溶性無機酸受容体の少なくとも１種類の水溶液と、
（ｂ）少なくとも１種類のプレポリマーと少なくとも１種類の極性、非塩基性および不活性有機液体媒体とを含んでなり、前記少なくとも１種類のプレポリマーが実質的に等モル量の少なくとも１種類のジアミンと少なくとも１種類のジカルボン酸ジハロゲン化物を少なくとも１種類の極性、非塩基性および不活性有機液体媒体中で反応させることにより形成された少なくとも１種類のプレポリマー溶液との溶液を、
約２秒〜約２分の滞留時間を有し、ペクレ数が約３．５を超える反応器システムに供給することを含んでなるポリアミドの製造方法。
２．  前記少なくとも１種類のジアミンが少なくとも１種類の芳香族ジアミンであり、前記少なくとも１種類のジカルボン酸ジハロゲン化物が少なくとも１種類の芳香族ジカルボン酸ジハロゲン化物である上記１に記載の方法。
３．  前記少なくとも１種類の極性、非塩基性および不活性有機液体媒体がテトラヒドロフランである上記２に記載の方法。
４．  全ジアミンの総重量に基づいて約１５重量パーセントまでの１種類もしくはそれ以上の非芳香族ジアミンを、少なくとも１種類の芳香族ジアミンと組み合わせて用い、および／または全ジカルボン酸ジハロゲン化物の総重量に基づいて約１５重量パーセントまでの１種類もしくはそれ以上の非芳香族ジカルボン酸ジハロゲン化物を前記少なくとも１種類の芳香族ジカルボン酸ジハロゲン化物と組み合わせて用いる上記２に記載の方法。
５．  前記少なくとも１種類のジアミンがメタフェニレンジアミン、２，４ジアミノメシチレンまたはこれらの混合物であり、前記少なくとも１種類のジカルボン酸ジハロゲン化物が塩化テレフタロイル、塩化イソフタロイルまたはこれらの混合物である上記１に記載の方法。
６．  前記少なくとも１種類のジアミンが約１００重量パーセントのメタフェニレンジアミンであり、前記少なくとも１種類のジカルボン酸ジハロゲン化物が約１００重量パーセントの塩化テレフタロイル、約１００重量パーセントの塩化イソフタロイル、約４０重量パーセントの塩化イソフタロイルと約６０重量パーセントの塩化テレフタロイルの混合物、または約７０重量パーセントの塩化イソフタロイルと約３０重量パーセントの塩化テレフタロイルの混合物である上記１に記載の方法。
７．  前記少なくとも１種類のジアミンが約１００重量パーセントの２，４ジアミノメシチレンであり、前記少なくとも１種類のジカルボン酸ジハロゲン化物が約１００重量パーセントの塩化イソフタロイルである上記１に記載の方法。
８．  前記少なくとも１種類のジアミンが約５０重量パーセントのメタフェニレンジアミンと約５０重量パーセントの２，４ジアミノメシチレンであり、前記少なくとも１種類のジカルボン酸ジハロゲン化物が約７０重量パーセントの塩化イソフタロイルと約３０重量パーセントの塩化テレフタロイルである上記１に記載の方法。
９．  前記反応器システムが少なくとも２台の良攪拌反応器を直列で含んでなる上記１に記載の方法。
１０．  それぞれ独立に約３０秒未満の滞留時間を有する前記反応器システムが少なくとも３台の良攪拌反応器を直列で含んでなる上記１に記載の方法。
１１．  前記反応器システムが管を備えた混合装置を含んでなる上記１に記載の方法。
１２．  前記混合装置が遠心ポンプである上記１１に記載の方法。
１３．  （ａ）と（ｂ）の前記管への連続供給により、乱流を形成する上記１１に記載の方法。
１４．  前記少なくとも１種類のジアミンが少なくとも１種類の芳香族ジアミンであり、前記少なくとも１種類のジカルボン酸ジハロゲン化物が少なくとも１種類の芳香族ジカルボン酸ジハロゲン化物である上記１１に記載の方法。
１５．  前記少なくとも１種類の極性、非塩基性および不活性有機液体媒体がテトラヒドロフランである上記１４に記載の方法。
１６．  全ジアミンの総重量に基づいて約１５重量パーセントまでの１種類もしくはそれ以上の非芳香族ジアミンを、少なくとも１種類の芳香族ジアミンと組み合わせて用い、および／または全ジカルボン酸ジハロゲン化物の総重量に基づいて約１５重量パーセントまでの１種類もしくはそれ以上の非芳香族ジカルボン酸ジハロゲン化物を前記少なくとも１種類の芳香族ジカルボン酸ジハロゲン化物と組み合わせて用いる上記１１に記載の方法。
１７．  前記少なくとも１種類のジアミンがメタフェニレンジアミン、２，４ジアミノメシチレンまたはこれらの混合物であり、前記少なくとも１種類のジカルボン酸ジハロゲン化物が塩化テレフタロイル、塩化イソフタロイルまたはこれらの混合物である上記１１に記載の方法。
１８．  前記少なくとも１種類のジアミンが約１００重量パーセントのメタフェニレンジアミンであり、前記少なくとも１種類のジカルボン酸ジハロゲン化物が約１００重量パーセントの塩化テレフタロイル、約１００重量パーセントの塩化イソフタロイル、約４０重量パーセントの塩化イソフタロイルと約６０重量パーセントの塩化テレフタロイルの混合物、または約７０重量パーセントの塩化イソフタロイルと約３０重量パーセントの塩化テレフタロイルの混合物である上記１１に記載の方法。
１９．  前記少なくとも１種類のジアミンが約１００重量パーセントの２，４ジアミノメシチレンであり、前記少なくとも１種類のジカルボン酸ジハロゲン化物が約１００重量パーセントの塩化イソフタロイルである上記１１に記載の方法。
２０．  前記少なくとも１種類のジアミンが約５０重量パーセントのメタフェニレンジアミンと約５０重量パーセントの２，４ジアミノメシチレンであり、前記少なくとも１種類のジカルボン酸ジハロゲン化物が約７０重量パーセントの塩化イソフタロイルと約３０重量パーセントの塩化テレフタロイルである上記１１に記載の方法。
２１．  （ａ）少なくとも１種類の水溶性無機酸受容体の少なくとも１種類の水溶液と、
（ｂ）少なくとも１種類のプレポリマーと少なくとも１種類の極性、非塩基性および不活性有機液体媒体とを含んでなり、前記少なくとも１種類のプレポリマーが実質的に等モル量の少なくとも１種類のジアミンと少なくとも１種類のジカルボン酸ジハロゲン化物を少なくとも１種類の極性、非塩基性および不活性有機液体媒体中で反応させることにより形成された少なくとも１種類のプレポリマー溶液との溶液を、
ペクレ数が約３．５を超える反応器システムに供給することを含んでなり、前記反応器システムにおいて約２秒〜約２分の滞留時間で前記少なくとも１種類のプレポリマーの総量の約９５％以上の変換がなされるポリアミドの製造方法。
２２．  前記少なくとも１種類のジアミンが少なくとも１種類の芳香族ジアミンであり、前記少なくとも１種類のジカルボン酸ジハロゲン化物が少なくとも１種類の芳香族ジカルボン酸ジハロゲン化物である上記２１に記載の方法。
２３．  前記少なくとも１種類の極性、非塩基性および不活性有機液体媒体がテトラヒドロフランである上記２２に記載の方法。
２４．  前記反応器システムが少なくとも３台の良攪拌反応器を直列で含んでなる上記２１に記載の方法。
２５．  前記反応器システムが管を備えた混合装置を含んでなる上記２１に記載の方法。
２６．  前記混合装置が遠心ポンプである上記２５に記載の方法。
２７．  （ａ）と（ｂ）の前記管への連続供給により、乱流を形成する上記２５に記載の方法。
２８．  前記少なくとも１種類のジアミンが少なくとも１種類の芳香族ジアミンであり、前記少なくとも１種類のジカルボン酸ジハロゲン化物が少なくとも１種類の芳香族ジカルボン酸ジハロゲン化物である上記２５に記載の方法。
２９．  前記少なくとも１種類の極性、非塩基性および不活性有機液体媒体がテトラヒドロフランである上記２８に記載の方法。
３０．  上記１に記載の方法により製造された少なくとも１種類のポリアミドを含んでなる成形物品。
３１．  上記１１に記載の方法により製造された少なくとも１種類のポリアミドを含んでなる成形物品。
３２．  上記２１に記載の方法により製造された少なくとも１種類のポリアミドを含んでなる成形物品。
３３．  上記１に記載の方法により製造された少なくとも１種類のポリアミドを含んでなるファイバー。
３４．  上記１１に記載の方法により製造された少なくとも１種類のポリアミドを含んでなるファイバー。
３５．  上記２１に記載の方法により製造された少なくとも１種類のポリアミドを含んでなるファイバー。